(57)【要約】      （修正有）【課題】瓶の内部の深さに関らずに使用でき、内部底面に残っている食品まで効率的に掬い取ることができる瓶詰食品用スプーンを提供する。【解決手段】食品９０を収容する上方に開口した容器体５１と該容器体５１に着脱可能な蓋体５５とを備えた瓶５０から、食品９０を取り出す瓶詰食品用スプーン１であり、柄部１０と、該柄部１０の一端に設けられた掬い部２０と、該掬い部２０の他端に設けられ該蓋体５５の裏面に固定するための固定部材（吸盤）３０と、からなり、該柄部１０は、前記容器体５１の上下方向にスライド固定可能である。【選択図】図１
0003225889.tif 000002
【実用新案登録請求の範囲】
【請求項１】
食品を収容する上方に開口した容器体と該容器体に着脱可能な蓋体とを備えた瓶から、食品を取り出すための瓶詰食品用スプーンであって、
柄部と、該柄部の一端に設けられた掬い部と、該柄部の他端に設けられ該蓋体の裏面に固定するための固定部材と、からなり、
該柄部は、前記容器体の上下方向にスライド固定可能であることを特徴とする瓶詰食品用スプーン。
【請求項２】
前記固定部材は、前記裏面に着脱自在に吸着する吸盤である請求項１に記載の瓶詰食品用スプーン。
【請求項３】
前記吸盤は、前記裏面に吸着可能な吸着部と、該吸着部と反対側に設けられ前記柄部の他端が着脱自在に挿着される挿着部と、を備えた請求項２に記載の瓶詰食品用スプーン。
【請求項４】
前記柄部は、筒状体と、該筒状体内部にスライド固定可能で一端に掬い部が設けられる棒状部材と、を有し、
該筒状体は、該筒状体の長手方向に形成されたスリット状の長孔を備え、該棒状部材の側部に設けた係止片が該長孔に挿通され、該長孔の長手方向両端に当接することで該棒状部材のスライド可能範囲を規制する請求項１乃至３のうちのいずれか１項に記載の瓶詰食品用スプーン。
【請求項５】
前記長孔は、前記筒状体の側部に一対対向して設けられ、前記係止片が、該一対の長孔各々に挿通するように一対設けられている請求項４に記載の瓶詰食品用スプーン。
【請求項６】
前記係止片は、前記長孔から突出している突出部を備えている請求項４又は５に記載の瓶詰食品用スプーン。
【請求項７】
前記掬い部は、前記柄部の一端から他端に向かって開口している請求項１乃至６のうちのいずれか１項に記載の瓶詰食品用スプーン。
【請求項８】
前記掬い部は、前記柄部に着脱自在である請求項１乃至７のうちのいずれか１項に記載の瓶詰食品用スプーン。
【請求項９】
前記食品は、粘性状、粒状、粉状、固形状、ゼリー状、液状、又は含液固形状である請求項１乃至８のうちのいずれか１項に記載の瓶詰食品用スプーン。
【考案の詳細な説明】
【技術分野】
【０００１】
本考案は、瓶詰食品用スプーンに関する。
【背景技術】
【０００２】
瓶詰食品から食品を取り出すには、通常、スプーンを用意して食品を掬いとる。
そうすると、スプーンを用意する手間に加え、使用後には、洗浄、乾燥して片付けなければならない。また、使用後短時間で再度使用する場合には、瓶の付近にしばらく載置することになる。そうすると、スプーンに付着した食品に細菌が繁殖したり、載置した箇所が汚れてしまうことにもなる。
ここで、蓋の裏にスプーンを取着した瓶詰食品用スプーンが提案されている（例えば、特許文献１参照。）。
【先行技術文献】
【特許文献】
【０００３】
【特許文献１】実用新案登録第３１８５１２２号公報
【考案の概要】
【考案が解決しようとする課題】
【０００４】
特許文献１に記載の瓶詰食品用スプーンは、瓶の蓋体の裏面に吸着された取付部にスプーンが瓶内部に固定されており、スプーンが取着された蓋体を持って食品を掬いとることができ、使用後は、そのまま蓋をすればスプーンを仕舞うことができる。また、スプーンを用意したり、片付ける手間を省くことができ便利である。しかも、使用後はすぐに瓶に蓋をすると共に仕舞うことができるため、衛生的である。
しかし、このスプーンの柄の長さは一定であり、瓶容器のサイズに合わせてスプーンの柄の長さを調節することはできない。そのため、例えば、瓶内部の食品が少なくなってきた場合、特に内部底面に残っている食品を掬うには、そのままの状態では使用できず、蓋の裏面からスプーンを離脱させて、瓶内部の食品を掬い上げる必要があった。その場合は、動作が増え手間がかかることになる。
本発明は、前記の問題を解決するものであり、瓶の内部の深さに関らずに使用でき、内部底面に残っている食品まで効率的に掬い取ることができる瓶詰食品用スプーンを提供することを目的とする。
【課題を解決するための手段】
【０００５】
本考案は、以下の通りである。
（１）食品を収容する上方に開口した容器体と該容器体に着脱可能な蓋体とを備えた瓶から、食品を取り出すための瓶詰食品用スプーンであって、
柄部と、該柄部の一端に設けられた掬い部と、該柄部の他端に設けられ該蓋体の裏面に固定するための固定部材と、からなり、
該柄部は、前記容器体の上下方向にスライド固定可能であることを特徴とする瓶詰食品用スプーン。
（２）前記固定部材は、前記裏面に着脱自在に吸着する吸盤である請求項１に記載の瓶詰食品用スプーン。
（３）前記吸盤は、前記裏面に吸着可能な吸着部と、該吸着部と反対側に設けられ前記柄部の他端が着脱自在に挿着される挿着部と、を備えた請求項２に記載の瓶詰食品用スプーン。
（４）前記柄部は、筒状体と、該筒状体内部にスライド固定可能で一端に掬い部が設けられる棒状部材と、を有し、
該筒状体は、該筒状体の長手方向に形成されたスリット状の長孔を備え、該棒状部材の側部に設けた係止片が該長孔に挿通され、該長孔の長手方向両端に当接することで該棒状部材のスライド可能範囲を規制する請求項１乃至３のうちのいずれか１項に記載の瓶詰食品用スプーン。
（５）前記長孔は、前記筒状体の側部に一対対向して設けられ、前記係止片が、該一対の長孔各々に挿通するように一対設けられている請求項４に記載の瓶詰食品用スプーン。
（６）前記係止片は、前記長孔から突出している突出部を備えている請求項４又は５に記載の瓶詰食品用スプーン。
（７）前記掬い部は、前記柄部の一端から他端に向かって開口している請求項１乃至６のうちのいずれか１項に記載の瓶詰食品用スプーン。
（８）前記掬い部は、前記柄部に着脱自在である請求項１乃至７のうちのいずれか１項に記載の瓶詰食品用スプーン。
（９）前記食品は、粘性状、粒状、粉状、固形状、ゼリー状、液状、又は含液固形状である請求項１乃至８のうちのいずれか１項に記載の瓶詰食品用スプーン。
【考案の効果】
【０００６】
（１）本考案に係る瓶詰食品用スプーンは、柄部が長手方向にスライド固定可能であるため、瓶の内部の深さに関らずに使用でき、内部底面に残っている食品まで効率的に掬い取ることができる。
（２）また、固定部材が吸盤である場合には、蓋体の裏面に着脱自在に固定することができ、他の瓶にも使用することができる。
（３）更に、吸盤が、柄部の他端が着脱自在に挿着される挿着部を備えている場合には、柄部を取り外して交換したり、洗浄したりすることができる。
（４）また、柄部が、筒状体と筒状体内部にスライド固定可能で一端に掬い部が設けられる棒状部材を有している場合には、容易に瓶詰食品用スプーンの長さ調節が可能となる。そして、筒状体は、筒状体の長手方向に形成されたスリット状の長孔を備え、棒状部材の側部に設けた係止片が長孔に挿通され、長孔の長手方向両端に当接することで棒状部材のスライド可能範囲を規制することができる。
（５）更に、長孔は、筒状体の側部に一対対向して設けられ、係止片が、一対の長孔各々に挿通するように一対設けられている場合には、一対の係止片を把持することで、安定してスライド固定することができる。
（６）また、係止片が、長孔から突出している突出部を備えている場合には、突出部を瓶の開口端部に当てて柄部をスライドして、長さを調節して食品を掬うことができるため、柄部に直接触れる必要がなく衛生的である。
（７）更に、掬い部が、柄部の一端から他端に向かって開口している場合には、瓶の中の食品を直上方向に掬い上げやすい。
（８）また、掬い部は、前記柄部に着脱自在であることから、食品に合わせ種々の形状の掬い部を選択することができる。
（９）更に、食品が、粘性状、粒状、固形状、ゼリー状、液状、又は含液固形状である場合には、特に本考案の瓶詰食品用スプーンを効果的に使用ことができる。
【図面の簡単な説明】
【０００７】
【図１】実施形態１の瓶詰食品用スプーンの瓶蓋体の裏面に固定された状態で、蓋体を把持した状態を示す説明図である。
【図２】実施形態１の瓶詰食品用スプーンの斜視図である。
【図３】（ａ）は図２のＡ−Ａ端面図、（ｂ）は図２のＢ−Ｂ端面図である。
【図４】実施形態１の瓶詰食品用スプーンの分解斜視図である。
【図５】実施形態１の瓶詰食品用スプーンが瓶に装着された状態を示す斜視図である。
【図６】実施形態１の瓶詰食品用スプーンの瓶内部の食品を掬う状態を示す説明図である。
【図７】実施形態１の瓶詰食品用スプーンの柄部に設けられた突出部を瓶の容器体の開口部に当てて、スプーンの長さを調節する状態を示す説明図である。
【図８】実施形態２の瓶詰食品用スプーンの斜視図である。
【図９】（ａ）は図８のＣ−Ｃ端面図、（ｂ）は図８のＤ−Ｄ端面図である。
【図１０】実施形態２の瓶詰食品用スプーンの分解斜視図である。
【図１１】実施形態３の瓶詰食品用スプーンの使用状態を示す斜視図である。
【図１２】実施形態の瓶詰食品用スプーンの、掬い部と柄部の種々の形態の組み合わせの例を示す平面図である。
【考案を実施するための形態】
【０００８】
以下本考案を図１〜図１２を参照しながら詳細を説明する。なお、本考案は、かかる図に記載された具体例に示すものに限らず、目的、用途に応じて種々変更したものとすることができる。
【０００９】
［実施形態１］
実施形態１に係る瓶詰食品用スプーン１は、本考案を具体化している。図１、図２に示すように、瓶詰食品用スプーン１は、食品を収容する上方に開口した容器体５１と容器体５１に着脱可能な蓋体５５を備えた瓶５０から、食品９０を取り出すための瓶詰食品用スプーンであって、柄部１０と柄部１０の一端に設けられた掬い部２０と、柄部１０の他端に設けられ、蓋体５５の裏面に固定するための固定部材３０からなる。
【００１０】
固定部材３０は、蓋体５５の裏面に着脱自在に吸着する吸盤である。この吸盤は、図２に示すように、蓋体５５の裏面に吸着可能な吸着部３１と、吸着部３１と反対側に設けられ柄部の他端が着脱自在に挿着される挿着部３５と、を備えている。
なお、固定部材は、吸盤であることが好ましいが、柄部の他端に設けられ、蓋体の裏面に固定できれば特に限定はなく、例えば、板状体の一面側に孔部を設けて柄部を挿着固定し、他面側に両面テープを貼り付けて蓋体の裏面に固定するようにしてもよい。
【００１１】
柄部１０は、図２〜図４に示すように、筒状体１１と筒状体１１の内部にスライド固定可能で一端に掬い部２０が設けられる棒状部材１５を有している。
筒状体１１は、長手方向に形成されたスリット状の長孔１７を備え、棒状部材１５の側部に設けた係止片１６が長孔１７に挿通されている。そして、係止片１６が長孔１７の長手方向両端１７ｅ、１７ｅに当接することで棒状部材１５のスライド可能範囲を規制している。
係止片１６は、長孔１７から突出している突出部１６ａを備えている。
【００１２】
掬い部２０は、柄部１０の一端に設けられていれば特に限定はなく、接着固定されていてもよいが、図１２（ａ）に示すように、掬い部２０の一端に形成した差込片２０ａを棒状部材１５に設けた支持穴１５ａに着脱自在に挿着固定することもできる。
着脱自在の掬い部とすることで、例えば、図１２（ｂ）に示す瓶詰食品用スプーン４のように、先端が平らに形成された掬い部２２の差込片２２ａを支持穴１５ａに着脱自在に挿着固定することもできる。
更に、図１２（ｃ）に示す瓶詰食品用スプーン５のように、先端が湾曲形成された掬い部２４の差込片２４ａを支持穴１５ａに着脱自在に挿着固定することもできる。
また、図１２（ｄ）に示す瓶詰食品用スプーン６のように、掬い部２６の一端に形成した差込凹部２６ａを棒状部材１８に設けた支持凸部１８ａに着脱自在に挿着固定することもできる。
このように、掬い部が着脱自在に形成されていれば、食品の種類によって適切な形状の掬い部を選択することができる。
【００１３】
（使用方法）
図２に示すように、吸盤３０の挿着部３５に、掬い部２０を取り付けた柄部１０を挿着固定して瓶詰食品用スプーン１とする。
次いで、図５に示すように、食品を収容する瓶５０を用意する（食品は不図示）。そして、瓶詰食品用スプーン１の吸盤３０の吸着部３１を蓋体５５の裏面に吸着させて、蓋体５５を容器体５１に取り付ける。その場合、係止部１６は、長孔１７の上部に位置している。
食品を掬うには、図１に示すように、瓶詰食品用スプーン１を取り付けた蓋体３０を把持して掬い部２０で食品９０を掬いとる。
また、図６に示すように、食品９５のように容器体５１の内面底部に残っている場合には、長孔１７の下方に係止片１６をスライド固定して柄部１０を長くすることで、掬い部２０を押し当てて、その先端で食品９５を掬い取ることができる。
【００１４】
ここで、柄部１０の長さを調節する方法について説明する。
柄部１０を長くするには、図７（ａ）に示すように柄部１０の棒状部材１５に備えている係止片１６の突出部１６ａを容器体５１の開口端部５１ｅの内側に掛け止めして、蓋体５５を斜め上方に引くことで、同図（ｂ）に示すように、筒状部１０から棒状部材１５が操出されて柄部１０を長くすることができる。
柄部１０を短くするには、図７（ｃ）に示すように柄部１０の棒状部材１５に備えている係止片１６の突出部１６ａを容器体５１の開口端部５１ｅの外側に掛け止めして、蓋体５５を斜め下方に押すことで、同図（ｄ）に示すように、筒状部１０に棒状部材１５が挿入されて柄部１０を短くすることができる。
こうすることで、柄部１０に触れることなく、長さを調節できるため衛生的である。
【００１５】
［実施形態２］
実施形態２に係る瓶詰食品用スプーン２は、本考案を具体化している。図８〜図１０に示すように、瓶詰食品用スプーン２は、柄部４０と柄部４０の一端に設けられた掬い部２０と、柄部４０の他端に設けられた固定部材３０からなる。
【００１６】
固定部材３０は、実施形態１の構成と同様の吸盤であり、その構成、作用効果については、前述の通りである。
【００１７】
柄部４０は、図８〜図１０に示すように、筒状体４１と筒状体４１の内部にスライド固定可能で一端に掬い部２０が設けられる棒状部材４５を有している。
筒状体１１は、長手方向に形成され、対向した一対スリット状の長孔４７、４７を備え、棒状部材４５の側部に一対の係止片４６、４６が長孔４７、４７に挿通されている。そして、係止片４６、４６が長孔４７、４７のそれぞれの長手方向両端４７ｅ、４７ｅに当接することで棒状部材４５のスライド可能範囲を規制している。
【００１８】
係止片４６は、長孔４７の上端と面一に形成されている。棒状部材４５をスライドさせて柄部の長さを調節するには、一対の係止片４６を手指で把持してスライド固定する。一対の係止片を把持することで、安定してスライド固定することができる。
使用方法については、一対の係止片４６を手指で把持してスライド固定する以外は、実施形態１と略同様であり、その説明を省略する。
なお、係止片４６が長孔４７から突出形成して突出部を備えることもでき、この場合は、実施形態１で説明した通り、突出部を利用した棒状部材４５のスライド固定方法が使用できる。
【００１９】
［実施形態３］
実施形態３に係る瓶詰食品用スプーン３は、本考案を具体化している。図１１に示すように、瓶詰食品用スプーン３は、食品を収容する上方に開口した容器体８１と容器体８１に着脱可能な蓋体８５を備えた瓶８０から、食品９６、９７を取り出すための瓶詰食品用スプーンである。
瓶詰食品用スプーン３は、柄部６０と柄部６０の一端に設けられた掬い部７０と、柄部６０の他端に設けられた蓋体８５の裏面に固定するための固定部材３０からなる。
【００２０】
掬い部７０は、柄部６５の一端である下側から他端である上側に向かって開口して形成されている。こうすることで、例えば、食品としての果実酒９６とその果実９７が混在していても、いずれも掬い部７０により掬い出すのに便利である。
そして、この掬い部７０も図１２（ｄ）に示すように、差込凹部７０ａに棒状部材６５を着脱自在に挿着固定することもできる。
【００２１】
固定部材３０は、蓋体８５の裏面に着脱自在に吸着する吸盤である。この吸盤については、実施形態１と同様であり、その構成、作用効果については、前述の通りである。
また、柄部６０は、実施形態１の柄部１と同様であり、その構成、作用効果については、前述の通りである。
【符号の説明】
【００２２】
１、２、３、４、５、６…瓶詰食品用スプーン、１０、４０、６０…柄部、１１、４１、６１…筒状体、１５、４５、６５…棒状部材、１６、４６…係止片、１６ａ…突出部、１７、４７…長孔、１７ｅ、４７ｅ…両端、２０、２２、２４、２６、７０…掬い部、３０…固定部材（吸盤）、３１…吸着部、３５…挿着部、５０、８０…瓶、５１、８１…容器体、５５、８５…蓋体、９０、９５、９６、９７…食品。 
【図１】
0003225889.tif 000003
【図２】
0003225889.tif 000004
【図３】
0003225889.tif 000005
【図４】
0003225889.tif 000006
【図５】
0003225889.tif 000007
【図６】
0003225889.tif 000008
【図７】
0003225889.tif 000009
【図８】
0003225889.tif 000010
【図９】
0003225889.tif 000011
【図１０】
0003225889.tif 000012
【図１１】
0003225889.tif 000013
【図１２】
0003225889.tif 000014